(57)【要約】【課題】電性が残される部分の長さが低減され、信号の完全性を改善できるカードエッジコネクタを提供すること。【解決手段】本考案のカードエッジコネクタは、絶縁性本体と、絶縁性本体に挿入される端子モジュールと、を備える。絶縁性本体は、底壁と、複数の端子溝が形成される一対の側壁と、底壁と側壁によって囲まれて前記端子溝と貫通する収納溝と、を含む。端子モジュールは、保持部と、保持部から上向きに延在する弾力ビームと、弾力ビームの上に設けられて収納溝に向かって突出する接触部と、を具備する複数の導電端子を有する。前記絶縁性本体の側壁には、端子溝に向かって突出する複数の阻止部が設けられている。前記導電端子は阻止部に当接する。【選択図】図２
0003136645.tif 000002
【実用新案登録請求の範囲】
【請求項１】
底壁と、複数の端子溝が形成される一対の側壁と、底壁と側壁とによって囲まれて前記端子溝を貫通する収納溝と、を含む絶縁性本体と、
絶縁性本体に挿入され、保持部と、該保持部から上向きに延在する弾力ビームと、該弾力ビームの上に設けられて前記収納溝に向かって突出する接触部と、を具備する複数の導電端子を有する端子モジュールと、を備え、
前記絶縁性本体の側壁には、前記端子溝に向かって突出する複数の阻止部が設けられ、
前記導電端子が前記阻止部に当接することを特徴とするカードエッジコネクタ。
【請求項２】
前記各導電端子の弾力ビームには、前記接触部に接近する位置から横向きに突伸して前記絶縁性本体の阻止部を当接させる複数の凸状部片が設けられていることを特徴とする、請求項１に記載のカードエッジコネクタ。
【請求項３】
隣接する二つの前記導電端子の凸状部片は、前記弾力ビームの異なる高さ位置に設置されることを特徴とする、請求項２に記載のカードエッジコネクタ。
【請求項４】
前記端子モジュールは、前記導電端子の保持部を固定する基部を含むことを特徴とする、請求項１に記載のカードエッジコネクタ。
【請求項５】
前記絶縁性本体の各側壁には下向きに延在する底部を有し、
各底壁と側壁の底部の間には、前記端子モジュールの基部を収納する貫通溝が形成されていることを特徴とする、請求項４に記載のカードエッジコネクタ。
【請求項６】
前記導電端子は、前記接触部の上端に傾斜するように設けられるガイド部を含むことを特徴とする、請求項１に記載のカードエッジコネクタ。
【請求項７】
前記導電端子は、前記保持部の底端から折れ曲がる半田接続部を有することを特徴とする、請求項１に記載のカードエッジコネクタ。
【請求項８】
前記導電端子の弾力ビームは長尺板状に形成されていることを特徴とする、請求項１に記載のカードエッジコネクタ。
【考案の詳細な説明】
【技術分野】
【０００１】
本考案は、予圧構造を含む端子を有するカードエッジコネクタに関するものである。
【背景技術】
【０００２】
従来技術のカードエッジコネクタとして、特許文献１に開示されたカードエッジコネクタが知られており、このカードエッジコネクタは、電子カードを収納するための収納溝が形成される絶縁性本体と、収納溝に固着される複数の導電端子と、を備える。各導電端子は、絶縁性本体に固着される保持部と、該保持部から上向きに延在する延在ビームと、前記電子カードを接触する接触部と、前記延在ビームの頂端から上向きに延在して前記収納溝の側壁を当接する当接部と、を含む。
【特許文献１】米国特許第５０４１０２３号明細書
【考案の開示】
【考案が解決しようとする課題】
【０００３】
特許文献１に示すカードエッジコネクタが高速信号伝送システムに用いられる場合、当接部、即ち電気が残される部分が、所定の長さを具備することによって信号の完全性を妨害する。
【０００４】
そこで本考案の目的は、上述の従来技術の問題に鑑み、電気が残される部分の長さが低減され、信号の完全性を改善できるカードエッジコネクタを提供することにある。
【課題を解決するための手段】
【０００５】
本考案のカードエッジコネクタは、絶縁性本体と、絶縁性本体に挿入される端子モジュールと、を備える。絶縁性本体は、底壁と、複数の端子溝が形成される一対の側壁と、底壁と側壁によって囲まれて前記端子溝を貫通する収納溝と、を含む。端子モジュールは、保持部と、保持部から上向きに延在する弾力ビームと、弾力ビームの上に設けられて収納溝に向かって突出する接触部と、を具備する複数の導電端子を有する。前記絶縁性本体の側壁には、端子溝に向かって突出する複数の阻止部が設けられている。前記導電端子は阻止部に当接する。
【考案の効果】
【０００６】
従来の技術に比較して本考案は以下の効果を有する。導電端子が阻止部に当接することによって、予圧力が発生する。これにより、接触部の上には、ガイドするためのガイド部だけを設置し、側壁を当接するための当接部を設置する必要がない。即ち、接触部の上の部分の長さが低減されて、信号の完全性を改善できる。
【考案を実施するための最良の形態】
【０００７】
以下、この考案の実施の形態を添付の図を参照して説明する。
【０００８】
図１〜図２を参照すると、相手電子カード（図示せず）を収納するカードエッジコネクタ１００は、絶縁性本体２０と、一対の端子モジュール６と、を備える。
【０００９】
図２及び図３に示すように、絶縁性本体２０は、一対の側壁２２と、底壁２４と、該側壁２２と底壁２４によって囲まれて相手電子カードを収納ための収納溝２１と、を備える。各側壁２２には、下向きに延在する底部２２４を有する。底壁２４は、該一対の側壁２２の底部２２４の間に位置する。各側壁２２の底部２２４と底壁２４の間には、貫通溝２４０が形成されている。各側壁２２には、前記貫通溝２４０から上向きに延在して前記収納溝２１を貫通する複数の端子溝２６が形成されている。各側壁２２には、端子溝２６に向かって突伸する複数対の細長い阻止部２２６が設けられている。各一対の阻止部２２６が、収納溝２１が端子溝２６を隣接する位置に対称に設けられている。
【００１０】
図４に示すように、各端子モジュール６は、基部６０と、基部６０に固定される複数の導電端子６１と、を含む。各導電端子６１は、保持部６３と、保持部６３から上向きに延在する弾力ビーム６４と、弾力ビーム６４の上に設けられる湾曲状の接触部６６と、接触部６６の上端に傾斜するように設けられるガイド部６８と、保持部６４の底端から折り曲がれる半田接続部６２と、を有する。各ガイド部６８には、対応する端子溝２６に嵌め込まれる端部６８１が設けられている。各導電端子６１の弾力ビーム６４には、一対の凸状部片６４１が接触部６６に接近する位置から横向きに突伸する。隣接する二つの導電端子６１の凸状部片６４１は、弾力ビーム６４の異なる高さ位置に設置される。これにより、互いに隣接する二つの凸状部片６４１の間に発生するキャパシタンスは低減される。
【００１１】
該カードエッジコネクタ１００の取り立て時、端子モジュール６は絶縁性本体２０の収納溝２１に挿入される。端子モジュール６の基部６０は対応する貫通溝２４０に収納される。導電端子６２は対応する端子溝２６に収納され、凸状部片６４１が絶縁性本体２０の阻止部２２６に当接し、接触部６６が収納溝２１に向かって突伸する、端部６８１が対応する端子溝２６に嵌め込まれる。導電端子は、凸状部片６４１が阻止部２２６に当接することによって、予圧力が発生する。これにより、接触部６８の上には、ガイドするためのガイド部６８だけを設置し、側壁２２を当接するための当接部を設置する必要がない。これにより、接触部６８の上の部分の長さが低減され、即ち電性が残される部分の長さが低減され、信号の完全性を改善できる。導電端子６１の半田接続部６２は回路基板８００に半田接続される。
【００１２】
以上、本考案について最良の実施の形態を詳細に説明してきたが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１３】
【図１】本考案のカードエッジコネクタの組合せ斜視図である。
【図２】図１に示すカードエッジコネクタの部分斜視図である
【図３】図２に示すカードエッジコネクタの他の部分斜視図である。
【図４】本考案の端子モジュールの局部斜視図である。
【符号の説明】
【００１４】
１００  カードエッジコネクタ
２０  絶縁性本体
２１  収納溝
２２  側壁
２２４  底部
２２６  阻止部
２４  底壁
２４０  貫通溝
２６  端子溝
６  端子モジュール
６０  基部
６１  導電端子
６２  半田接続部
６３  保持部
６４  弾力ビーム
６４１  凸状部片
６６  接触部
６８  ガイド部
６８１  端部
８００  回路基板
【図１】
0003136645.tif 000003
【図２】
0003136645.tif 000004
【図３】
0003136645.tif 000005
【図４】
0003136645.tif 000006